(57)【要約】【課題】  蓋体がケース本体に閉塞された状態においては、そのままでは蓋体が持ち上がらないようにした小動物収容ケースを提供する。【解決手段】  ケース本体１を形成する左右の側壁６，７の内側上方のそれぞれに蓋体２の左右端部を載置する蓋体支持部１０を設けると共に、左右の側壁の内側であり蓋体支持部よりも上方に内側へ突出する所定幅に形成された突出部１１，１１を設ける。また、蓋体の左右両端部のそれぞれにはケース本体の突出部が通過可能な大きさの切欠部１６，１６を設ける。このケース本体の突出部は、蓋体がケース本体を閉塞した状態にある時、少なくともその一端が蓋体の切欠部の範囲内に位置していない。【選択図】図２
2018174738.tif 000002
【特許請求の範囲】
【請求項１】
上方が開口した箱状のケース本体と、前記ケース本体の開口を閉塞する蓋体とを備えた小動物収容ケースにおいて、
前記ケース本体を形成する左右の側壁の内側上方のそれぞれに前記蓋体の左右端部を載置する蓋体支持部を設けると共に、前記左右の側壁の内側であり前記蓋体支持部よりも上方に内側へ突出する所定幅に形成された突出部を設け、
前記蓋体の左右端部のそれぞれに前記左右の側壁に設けられた突出部が通過可能な大きさの切欠部を設け、
前記左右の側壁の突出部は、前記蓋体が前記ケース本体の開口を閉塞した状態にある時、少なくともその一端が前記蓋体の切欠部の範囲内に位置していないことを特徴とする小動物収容ケース。
【請求項２】
前記蓋体が前記ケース本体の開口を閉塞した状態にある時、該蓋体の前方への移動を規制する移動規制手段を設けたことを特徴とする請求項１記載の小動物収容ケース。
【請求項３】
前記移動規制手段は、前記蓋体に貫通状に設けられた筒部と、前記筒部内に設けられた回転軸と、前記回転軸の上端に連結され前記筒部の上部に形成された操作部と、前記回転軸の下端に連結され水平方向に延出する移動阻止片とからなることを特徴とする請求項２記載の小動物収容ケース。
【発明の詳細な説明】
【技術分野】
【０００１】
本発明は、小動物を収容するケースに関するものである。
【背景技術】
【０００２】
小動物を展示したり、あるいは、ペットショップ等で販売する場合に、当該小動物を収容するケースとして、上方が開口した透明な箱状のケース本体と、ケース本体の開口を閉塞する蓋体とを備えたものが広く使用されている。
【先行技術文献】
【特許文献】
【０００３】
【特許文献１】特開２００８−２９５３１５公報
【特許文献２】特開２００５−６５８５公報
【発明の概要】
【発明が解決しようとする課題】
【０００４】
ところで、前記のような小動物収容ケースは、例えば、小動物を出し入れする場合、あるいは、小動物の餌を交換するような場合、蓋体の一端を片方の手で持ち上げ、他方の手で小動物や餌の出し入れをすることができるため、非常に使い勝手が良い反面、次のような問題に対処することができない。すなわち、最近では、様々な小動物がペットとして取引されるようになっており、中には希少価値があるなどの理由で高額で販売されるようなものも存在する。そして、高額であるが故に、当該小動物がペットショップ等から盗まれてしまうといったことが起こるようになっている。この時、もし、収容ケースの蓋体の一端を簡単に持ち上げられるとしたならば、小動物を短時間のうちに取り出すことができるので、必然的に盗み出すことも容易にできてしまうことになる。また、蓋体がケース本体の上方へ簡単に上がるとすると、例えば、収容ケース内に動きの激しい小動物を収容したような場合、当該小動物が跳躍して蓋体にぶつかった際、その勢いで蓋体が持ち上がり、小動物が収容ケースの外へ逃げ出してしまうといった問題も起こり得る。
【０００５】
そこで、本発明は、前記課題を解決すべく、蓋体の一端を片手で持ち上げながら他方の手でケース本体内の小動物等を出し入れすることができる利便性を残しつつ、蓋体がケース本体に閉塞された状態において、そのままでは蓋体が持ち上がらないようにした小動物収容ケースを提供することを目的としている。
【課題を解決するための手段】
【０００６】
かかる目的を達成するため本発明に係る小動物収容ケースは、上方が開口した箱状のケース本体と、前記ケース本体の開口を閉塞する蓋体とを備えた小動物収容ケースにおいて、前記ケース本体を形成する左右の側壁の内側上方のそれぞれに前記蓋体の左右端部を載置する蓋体支持部を設けると共に、前記左右の側壁の内側であり前記蓋体支持部よりも上方に内側へ突出する所定幅に形成された突出部を設け、前記蓋体の左右端部のそれぞれに前記左右の側壁に設けられた突出部が通過可能な大きさの切欠部を設け、前記左右の側壁の突出部は、前記蓋体が前記ケース本体の開口を閉塞した状態にある時、少なくともその一端が前記蓋体の切欠部の範囲内に位置していないことを特徴としている。
【０００７】
また、本発明に係る小動物収容ケースは、前記蓋体が前記ケース本体の開口を閉塞した状態にある時、該蓋体の前方への移動を規制する移動規制手段を設けたことを特徴としている。
【０００８】
前記移動規制手段は、前記蓋体に貫通状に設けられた筒部と、前記筒部内に設けられた回転軸と、前記回転軸の上端に連結され前記筒部の上部に形成された操作部と、前記回転軸の下端に連結され水平方向に延出する移動阻止片とからなることを特徴としている。
【発明の効果】
【０００９】
本発明に係る小動物収容ケースは、ケース本体から小動物を出し入れする場合、あるいは、小動物の餌を交換するような場合、蓋体の一端を片方の手で持ち上げ、他方の手で小動物や餌の出し入れをすることができるという利便性を残しつつ、蓋体がケース本体に閉塞された状態において、そのままでは蓋体が持ち上がらないようにして小動物の盗難防止等を図ることができる。
【図面の簡単な説明】
【００１０】
【図１】小動物収容ケースの斜視図。
【図２】小動物収容ケースの分解斜視図。
【図３】小動物収容ケースの縦断面図。
【図４】（ａ）小動物収容ケースのロック機構の施錠状態を示す平面図。（ｂ）小動物収容ケースのロック機構の開錠状態を示す平面図。（ｃ）小動物収容ケースの蓋体を前方に移動させた状態を示す平面図。
【図５】小動物収容ケースの蓋体の一端を上動させた状態を示す平面図。
【発明を実施するための形態】
【００１１】
以下、本発明に係る小動物収容ケースの実施の形態を図面に基づき説明する。図１は小動物収容ケースの斜視図、図２は小動物収容ケースの分解斜視図である。本実施形態の小動物収容ケースは、上方が開口する箱状のケース本体１と、ケース本体１の開口を閉塞する蓋体２と、蓋体２に設けられ該蓋体２の前方への移動を規制する第１の移動規制手段としてのロック機構３と、蓋体２の前方への移動を規制する第２の移動規制手段としての掛止部材４とによって概略構成されている。
【００１２】
前記ケース本体１は、透明な合成樹脂材料によって成形された底板５と四枚の側壁６〜９により上方が開口する直方体形状の箱型に形成されている。そして、左右の側壁６，７及び後側壁８は、その高さ寸法（上下方向の長さ）が同じであるが、前側壁９だけ若干高さ寸法が異なっている。具体的には、前側壁９のみ、他の側壁６，７，８よりも高さ寸法が短く設定されていて、前側壁９の上端（上側辺）９ａは、他の側壁６，７，８の上端（上側辺）６ａ，７ａ，８ａよりもやや低いところに位置するようになっている。また、左右の側壁６，７の前端（前側辺）６ｂ，７ｂは、前側壁９よりも前方に位置している。換言すると、前側壁９が左右の側壁６，７の前後方向やや内側に位置するようになっているため、左右の側壁６，７の前端６ｂ，７ｂが前側壁９から若干張り出した張出部６ｃ，７ｃとなっている。
【００１３】
前記左右の側壁６，７内側面の上方、具体的には、左右の側壁６，７の上側辺６ａ，７ａからやや下方に内方へ突出する内向きフランジ状の蓋体支持部１０，１０が形成されている。この蓋体支持部１０，１０は、帯状の平板からなり、前側壁９と後側壁８の間に差し渡されるように設けられていると共に、蓋体支持部１０，１０の上面と前側壁９の上面（上側辺）９ａとが面一になるように設けられている。さらに、左右の側壁６，７の内側面前寄りの位置であり、左右の側壁６，７の上端部、具体的には、蓋体支持部１０，１０よりも上方位置に、内方へ突出する平板小片状の突出部１１，１１が設けられている。この突出部１１，１１は、蓋体２がケース本体１の開口を閉塞している状態において、蓋体２の前端部の上動を防止する機能を有し、その縦横寸法が蓋体２に形成された後述する切欠部１６，１６内に収まる所定サイズに設定されている。また、左右の側壁６，７の張出部６ｃ，７ｃ内側面の上方位置に内方へ突出する平板小片状の抜止片部１２，１２が設けられている。さらに、前記後側壁８の内側面の上端部に内方へ突出する内向きフランジ状の上動阻止部１３が形成されている。この上動阻止部１３は、帯状の平板からなり、左側壁６と右側壁７の間に差し渡されるように設けられており、蓋体２がケース本体１の開口を閉塞している状態において、蓋体２の後端部の上動を防止する機能を有している。なお、前側壁９の左側に２箇所、後側壁８の上方に複数の空気採入用孔が穿設されている。
【００１４】
前記蓋体２は、ケース本体１と同様の透明な合成樹脂材料によって成形された長方形形状の板材であり、ケース本体１の開口を覆うサイズに形成されている。また、蓋体２の前端には、上方へ垂直に折曲した折返片状の摘子部１５が形成されている。さらに、蓋体２の左右端部の前寄りの位置には、矩形状に切り欠かれた切欠部１６，１６が形成されている。この切欠部１６，１６は、前述したケース本体１の左右の側壁６，７に設けられている突出部１１，１１が通過可能な大きさになっている。もっとも、蓋体２がケース本体１の開口を閉塞している状態においては、蓋体２を上方へ持ち上げても突出部１１，１１が切欠部１６，１６を通過し得ない位置関係となっている。すなわち、図４及び図５に示されているように平面視において、突出部１１，１１の一端だけが切欠部１６，１６内に位置し、他端は切欠部１６，１６の範囲内に位置していない。なお、蓋体２には、複数の空気採入用孔が穿設されている。
【００１５】
さらに、蓋体２の前端部中央に、蓋体２がケース本体１の開口を閉塞している状態において、蓋体２の前方への移動を規制する第１の移動規制手段としてのロック機構３が設けられている。このロック機構３は、筒部２０の上面に鍵孔を有する操作部２１が形成されていると共に、筒部２０の内部に回転軸２２が設けられており、さらに、回転軸２２の下端部に、水平方向へ延出する移動阻止片２３が形成されている。なお、筒部２０は、蓋体２を貫通し、操作部２１は、蓋体２の上面側に、移動阻止片２３は、蓋体２の下面側に位置している。また、移動阻止片２３は、その先端部が下方へ垂直に折曲された当接部２３ａとなっている。なお、ロック機構３の操作部２１の鍵孔に鍵ｋを挿入して回動させると、これに伴って回転軸２２が回動し、同時に移動阻止片２３も回動するようになっている。
【００１６】
前記掛止部材４は、ケース本体１及び蓋体２と同様の透明な合成樹脂材料によって成形された帯板状の基部４ａと、その上端を２箇所直角に屈曲させて垂下させた折返片部４ｂとからなっていて、蓋体２がケース本体１の開口を閉塞している状態において、蓋体２の前方への移動を規制する第２の移動規制部材として機能する。
【００１７】
次に、本実施形態の小動物収容ケースの使用方法について説明する。まず、図２に示されている状態、すなわち、ケース本体１の開口が開放されている状態において、ケース本体１内に小動物等を収容させる。次いで、蓋体２をケース本体１の上方に位置させる。この時、ケース本体１の突出部１１，１１を蓋体２の切欠部１６，１６が通過し得るように位置させて蓋体２をケース本体１の蓋体支持部１０，１０に載置する。ちなみに、この状態では、蓋体２の後端が後側壁８の内側面に当接していないので、蓋体２の摘子部１５を後方へ押して当接させる。これにより、蓋体２がケース本体１の開口を完全に閉塞する。最後に、上方から掛止部材４を装着する。具体的には、掛止部材４の基部４ａをケース本体１の左右の側壁６，７に設けられている抜止片部１２，１２の内側に挿入すると共に、掛止部材４の折返片部４ｂを蓋体２の摘子部１５に引っ掛ける。これで、ケース本体１の開口を閉塞している蓋体２を持ち上げることが不可能な状態となる。
【００１８】
今度は、図１及び図３に示されている状態から、蓋体２の前端部を持ち上げて、ケース本体１から小動物を取り出すことができる状態に移行する手順について説明する。まず、掛止部材４を抜き取って、図４（ａ）に示されている状態にする。もっとも、この段階では、蓋体２を未だ持ち上げることはできない。すなわち、蓋体２を前方へ移動させようとしても、ロック機構３の移動阻止片２３の当接部２３ａがケース本体１の前側壁９の内側面に接近した位置にあるため、当接部２３ａが前側壁９の内側面にぶつかって蓋体２を前方へ移動させることはできない。他方、蓋体２を上方へ持ち上げようとしても、ケース本体１の左右の側壁６，７に設けられている突出部１１，１１が蓋体２の切欠部１６，１６を通過可能な位置にないため、蓋体２を上方へ持ち上げることもできない。そこで、蓋体２のロック機構３の操作部２１に鍵ｋを挿入し時計回り方向（図４（ａ）の矢印方向）へ回動する。そうすると、図４（ｂ）に示されているように、ロック機構３の移動阻止片２３が左側壁６側へ移動し、前側壁９から遠ざかる。これにより、蓋体２を前方へ移動させることができるので、蓋体２の摘子部１５を手前（図４（ｂ）の矢印方向）へ若干引いて、図４（ｃ）に示されているように、左右の側壁６，７の突出部１１，１１が蓋体２の切欠部１６，１６内に収まるところまで前方に移動させる。これにより、図５に示されているように、蓋体２の前端部を持ち上げることができるので、収容ケースから小動物等の出し入れが可能となる。
【００１９】
以上のように、本実施形態における小動物収容ケースは使用し得るが、その使用状況に応じて、次の３パターンの使い分けが可能である。例えば、収容ケース内の餌を交換したり、清掃するような場合、頻繁に蓋体２を持ち上げる必要が生じる場合もある。このような場合、第１のパターンとして、図４（ｂ）の状態にしておけばよい。この状態であれば、仮に収容ケース内に収容された小動物が跳躍するなどして、蓋体２にぶつかったとしても、蓋体２の前側はケース本体１の突出部１１，１１にぶつかって上動が阻止されるし、蓋体２の後側はケース本体１の上動阻止部１３にぶつかって上動が阻止される。反面、蓋体２の前端を持ち上げるには、蓋体２を若干前方へ引いてケース本体１の突出部１１，１１に蓋体２の切欠部１６，１６を一致させるのみで足りるため、頻繁に蓋体２を持ち上げたい時に対応することができる。他方、収容ケース内の小動物の盗難を防止するような場合には、第２のパターンとして、図４（ａ）に示された状態にしておけばよい。この場合、蓋体２の前端を持ち上げるためには、前記第１のパターンに加えて、ロック機構３の鍵ｋを回動させるという行為が必要になるため、ケース本体１内の小動物を容易に取り出すことが難しくなる。さらに、より強固な盗難防止を図りたい場合には、第３のパターンとして、図１及び図３に示された状態にしておけばよい。この場合、蓋体２の前端を持ち上げるためには、前記第２のパターンに加えて、掛止部材４を抜き取るという行為が必要になるため、ケース本体１内の小動物を取り出して盗み出すことがより困難となる。
【００２０】
なお、上記実施形態において、左右の側壁のそれぞれに１つずつ突出部を形成すると共に、蓋体の左右端部のそれぞれに１つずつ切欠部を設けた例を示したが、これに限られるわけではない。すなわち、左右の側壁のそれぞれに複数の突出部を設け、蓋体の左右端部のそれぞれに複数の切欠部を設けて構成することも可能である。また、突出部が平板状であるものを例として示したが、このような形状に限られず、側壁から内方へ突出するものであれば、種々の形状を選択することが可能である。さらに、上記実施形態において、蓋体支持部として、前側壁と後側壁の間に差し渡されるように一連に設けられたものを例として示したが、必ずしも一連にする必要はなく、複数に分割して設けることも可能である。さらに、ロック機構の操作部として鍵を挿入して使用するものを例として示したが、これに限られず、例えば、操作部を摘子にして、当該摘子を指で回動させるようにすることも可能である。また、この実施形態におけるケース本体は、横長矩形状の底板の各辺から側壁を上方へ垂直に起立させたものを例として説明したが、必ずしもこれに限られるわけではない。すなわち、底板は必ずしも矩形状でなくてもよく、例えば、底板の前後が円弧状になっていてもよい。
【符号の説明】
【００２１】
１          ケース本体
２          蓋体
３          移動規制手段（ロック機構）
６          側壁
７          側壁
１０        蓋体支持部
１１        突出部
１６        切欠部
２０        筒部
２１        操作部
２２        回転軸
２３        移動阻止片
【図１】
2018174738.tif 000003
【図２】
2018174738.tif 000004
【図３】
2018174738.tif 000005
【図４】
2018174738.tif 000006
【図５】
2018174738.tif 000007